(57)【要約】【課題】盛土本体からの遊水、変形等の影響を受け難く、且つ、その壁面の張り替え等のメンテナンス作業が容易に行える盛土の壁面構造を提案すること。【解決手段】立設した壁面１０の背後に硬化性を有する盛土材５０を充填して構築する盛土１の前記壁面１０の構造であって、間隔を開けて地盤６１上に立設した複数本の支柱１０と、前記支柱の背面側（躯体側）に配設された型枠パネル３０と、前記支柱の表面側に配設された壁面パネル４０とから成る盛土の壁面構造とした。【選択図】図１１
2020041267.tif 000002
【特許請求の範囲】
【請求項１】
立設した壁面の背後に硬化性を有する盛土材を充填して構築する盛土の前記壁面の構造であって、間隔を開けて地盤上に立設した複数本の支柱と、前記支柱の背面側に配設された型枠パネルと、前記支柱の表面側に配設された壁面パネルとから成ることを特徴とする、盛土の壁面構造。
【請求項２】
上記硬化性を有する盛土材が、気泡混合軽量土であることを特徴とする、請求項１に記載の盛土の壁面構造。
【請求項３】
上記型枠パネルの背面側に、更に遮水シートが配設されていることを特徴とする、請求項１又は２に記載の盛土の壁面構造。
【請求項４】
上記支柱の適所に、上記充填された盛土材に埋設した支持アンカーが連結されていることを特徴とする、請求項１〜３のいずれかに記載の盛土の壁面構造。
【発明の詳細な説明】
【技術分野】
【０００１】
本発明は、盛土の壁面構造に関するもので、特に、気泡混合軽量土で形成される盛土の壁面構造に関するものである。
【背景技術】
【０００２】
ＦＣＢ工法（Formed Cement Banking Method）とは、原料土（砂質土）とセメント、水および気泡を混合、又は、セメント、水および気泡を混合した気泡混合軽量土（Formed Mixture Light-weight Soil）を用いた軽量盛土工法である。気泡混合軽量土は、軽量で流動性（フレッシュ状態）があり、容易な施工性、優れた経済性から注目されている盛土材である。これらの特徴を生かして、軟弱地盤上のおける道路、橋梁、構造物等の盛土や裏込、急傾斜地盛土等に、該ＦＣＢ工法は広く適用されている。
【０００３】
ここで、気泡混合軽量土は、固化する前は流動性のある材料であるため、コンクリートと同様に型枠が必要となり、また、硬化後の表面を保護することが必要となる。そのため、型枠と表面保護材とをかねて壁面パネルが残存型枠として使用され、該壁面パネルを、背後に立設した支柱、枠体などに固定し、気泡混合軽量土を打設することにより一体化させ、表面を保護する壁体としてそのまま残される工法が採用されている（例えば、特許文献１，２など参照）。 
【先行技術文献】
【特許文献】
【０００４】
【特許文献１】特開２００２−２４２１８９号公報
【特許文献２】特開２００２−１８８１４８号公報
【発明の概要】
【発明が解決しようとする課題】
【０００５】
しかしながら、上記した従来工法により形成された壁面構造の盛土にあっては、次のような問題点があることが、近年分かってきた。
先ず、残存型枠として用いる壁面パネルの目地部をシーリング材等により防水処理しているが、シーリング材の壁面への接着力不足や経年劣化等により、気泡混合軽量土の硬化体から成る盛土本体の遊水によるノロ漏れが発生し、壁面が局所的に汚されることが生じていた。これは、一時的に清掃しても新たにノロ漏れが発生することから、対策が困難なものであった。
また、型枠をかねた壁面パネルは、硬化した気泡混合軽量土から成る盛土本体に直に接触し、一体化しているため、盛土本体の変形やパネル背面の遊水等の影響を直接受け、壁面パネルに割れ、パネル固定金具の腐食による剥がれ、脱落等が生じ易く、また、壁面パネルに割れ、剥がれ等が生じた場合には、該壁面パネルの張り替えが困難であると共に、その張り替え時に一体化した気泡混合軽量土硬化体に損傷を与えるおそれもあった。
【０００６】
本発明は、上述した背景技術が有する問題点に鑑み成されたものであって、その目的は、盛土本体からの遊水、変形等の影響を受け難く、且つ、その壁面の張り替え等のメンテナンス作業が容易に行える盛土の壁面構造を提案することにある。
【課題を解決するための手段】
【０００７】
上記した目的を達成するため、本発明は、次の［１］〜［４］に記載した盛土の壁面構造とした。
［１］立設した壁面の背後に硬化性を有する盛土材を充填して構築する盛土の前記壁面の構造であって、間隔を開けて地盤上に立設した複数本の支柱と、前記支柱の背面側に配設された型枠パネルと、前記支柱の表面側に配設された壁面パネルとから成ることを特徴とする、盛土の壁面構造。
［２］上記硬化性を有する盛土材が、気泡混合軽量土であることを特徴とする、上記［１］に記載の盛土の壁面構造。
［３］上記型枠パネルの背面側に、更に遮水シートが配設されていることを特徴とする、上記［１］又は［２］に記載の盛土の壁面構造。
［４］上記支柱の適所に、上記充填された盛土材に埋設した支持アンカーが連結されていることを特徴とする、上記［１］〜［３］のいずれかに記載の盛土の壁面構造。
【発明の効果】
【０００８】
上記した本発明に係る盛土の壁面構造によれば、表面保護材と型枠とをかねた一層の壁面パネルから成る壁面構造とは異なり、盛土材は支柱の背面側に配設された型枠パネルとは接するものの、支柱の表面側に配設された壁面パネルとは直に接しない構造となる。そのため、壁面パネルは盛土材の硬化体である盛土本体と一体化することはなく、盛土本体からの遊水、変形等の影響を直接受けることがなくなり、その割れ、剥離等が生じ難いものとなる。また、万一壁面パネルに割れ、剥離等が生じた場合にも、盛土本体と一体化していないためにその張り替えが容易に行えると共に、盛土本体に損傷を与えることもない。また、壁面パネルと型枠パネルとの間が水の通り道となるため、盛土本体からの遊水は壁面パネルの表面側に達することはなく、壁面のノロ漏れによる汚れ等が生じ難いものとなる。
【図面の簡単な説明】
【０００９】
【図１】本発明の壁面構造を採用した盛土の一例を示した概念的な縦断面図である。
【図２】図１のＡ部を拡大して示した図である。
【図３】本発明に係る盛土の壁面構造の施工方法の一例を示した概念的な側面図であって、主に支柱の立設工程を示した図である。
【図４】本発明に係る盛土の壁面構造の施工方法の一例を示した概念的な側面図であって、主に支柱の立設工程から壁面パネルの配設工程を示した図である。
【図５】本発明に係る盛土の壁面構造の施工方法の一例を示した概念的な斜視図であって、主に壁面パネルの配設工程を示した図である。
【図６】本発明に係る盛土の壁面構造の施工方法の一例を示した概念的な側面図であって、主に型枠パネルの配設工程から盛土材の打設工程を示した図である。
【図７】本発明に係る盛土の壁面構造の施工方法の一例を示した概念的な斜視図であって、主に型枠パネルの配設工程を示した図である。
【図８】本発明に係る盛土の壁面構造の施工方法の一例を示した概念的な斜視図であって、主に盛土材の打設工程を示した図である。
【図９】本発明に係る盛土の壁面構造の施工方法の一例を示した概念的な側面図であって、主に硬化した盛土材上方への敷網材の設置工程から支柱への支持アンカーの連結工程を示した図である。
【図１０】本発明に係る盛土の壁面構造の施工方法の一例を示した概念的な側面図であって、主に支柱の上方への連結工程から盛土材の複数回目の打設工程を示した図である。
【図１１】本発明に係る盛土の壁面構造の施工方法の一例を示した概念的な側面図であって、主に天端の仕上げ工程を示した図である。
【発明を実施するための形態】
【００１０】
以下、本発明に係る盛土の壁面構造の実施形態について、添付した図面を参照しながら詳細に説明する。
【００１１】
図１は、本発明の壁面構造を採用した盛土の一例を示した概念的な縦断面図であり、図２は、図１のＡ部を拡大して示した図である。
この図示した盛土１は、立設した壁面１０の背後に硬化性を有する盛土材５０を充填して構築されたものである。なお、図示した盛土１は、地山６０と構築した壁面１０との間に盛土材５０を充填した、いわゆる傾斜地の拡幅盛土を示しているが、本発明は、かかる拡幅盛土に限定されず、構築した両側となる壁面の間に硬化性を有する盛土材を充填し、道路、橋台、自立壁、擁壁等として用いる盛土、また、周囲を構築した壁面で囲み、その内方に硬化性を有する盛土材を充填し、造成地、建物の基礎とした盛土などを、広く対象とするものである。また、充填する盛土材は、盛土全体において同質のものである必要はなく、例えば、下方は合成樹脂発泡体ブロックを盛土材として充填し、上方は現場発泡の硬質発泡ウレタン、気泡混合軽量土などの硬化性を有する盛土材を充填した構成の盛土であっても、本発明の対象となる。
【００１２】
壁面１０は、間隔を開けて地盤６１上に立設した複数本の支柱２０と、前記支柱２０の背面側（躯体側）に配設された型枠パネル３０と、前記支柱２０の表面側に配設された壁面パネル４０とから成る、重層（２層）構造に形成されている。なお、この重層（２層）構造の壁面構造は、現場発泡の硬質発泡ウレタン、気泡混合軽量土などの硬化性を有する盛土材を充填する部位の壁面において、少なくとも採用されていればよい。
【００１３】
支柱２０は、下端を地盤６１に形成された基礎コンクリート２１に埋設され、複数本が等間隔、例えば５００ｍｍ程度の間隔を開けて並んだ状態に立設されている。各支柱２０は、１本の長尺なものであってもよく、上下複数段に分割された分割支柱を接続したものであってもよい。図示した実施形態にかかる支柱２０にあっては、２本の分割支柱２０Ａ，２０Ｂが、継手金具２２によって接続されたものである。
【００１４】
支柱２０には、鋼材に溶融亜鉛メッキを施したものを用いることができ、これ以外でも、耐蝕性に優れた材料で形成されたものであればよい。また支柱２０は、Ｌ形鋼、Ｃ形鋼（リップ溝形鋼）、Ｈ型鋼、角型鋼などを用いることができる。支柱２０の上下方向の適所には、必要に応じて充填された盛土材５０に埋設された支持アンカー２３を連結することができる。
【００１５】
支柱２０の背面側（躯体側）に配設された型枠パネル３０としては、いわゆる「コンパネ」と呼ばれる南洋材、合板などからなる木質のもの、スチール製のもの、セメント系のもの、更には合成樹脂製のものなど、一般に型枠として使用されているものを広く用いることができる。大きさは、人力による施工性を考慮し、３×６判（９１０ｍｍ×１８２０ｍｍ）程度以下の大きさのものが適当であるが、これに限られるものではない。
【００１６】
型枠パネル３０は、立設された支柱２０の背面側（躯体側）において、隣り合う支柱２０，２０間を塞ぐ状態で下段側から積み上げて配設することができる。型枠パネル３０は、スクリューネジ等を用いて直接支柱２０の背面側に接触した状態で取り付けてもよく、セパレータ等の取付具を用いて支柱２０の背面側に浮いた状態で取り付けてもよい。これらのスクリューネジ、取付具等は、長期の耐蝕性が必要であることから、溶融亜鉛めっきが施されたもの、またはステンレス鋼などを使用する。図２に図示した実施形態にあっては、スクリューネジ３１を用いて直接支柱２０の背面側に接触した状態で型枠パネル３０が取り付けられている。配設した型枠パネル３０間の目地部には、シーリング材を充填することができ、また、配設した型枠パネル３０の背面側に、必要に応じて更に遮水シート７０を配設することができる。
【００１７】
支柱２０の表面側に配設された壁面パネル４０としては、構築された盛土構造物の表面部位の美観、つまり外観を向上させると共に、盛土構造物の表面部位を保護する機能を有するものであればよく、セメント系パネル、合成樹脂系パネル、金属系パネルなどを用いることができる。大きさは、人力による施工性を考慮し、やはり３×６判（９１０ｍｍ×１８２０ｍｍ）程度以下の大きさのものが適当であるが、従来技術のように型枠をかねたものではないため、大型化が容易であり、より大きな壁面パネルを、重機を用いた機械施工によって対応するものとしてもよい。
【００１８】
壁面パネル４０は、立設された支柱２０の表面側において、隣り合う支柱２０，２０間を塞ぐ状態で下段側から積み上げて配設することができる。また壁面パネル４０は、スクリューネジ等を用いて直接支柱２０の表面側に接触した状態で取り付けてもよく、取付具を用いて支柱２０の表面側に浮いた状態で取り付けてもよい。図２に図示した実施形態にあっては、取付具４１によって支柱２０の表面側に浮いた状態で壁面パネル４０が取り付けられている。配設した壁面パネル４０間の目地部には、止水性を考慮してシーリング材を充填することができる。
【００１９】
上記した構造の壁面１０の背後に充填された硬化性を有する盛土材５０としては、コンクリート、現場発泡の硬質発泡ウレタン、気泡混合軽量土などを挙げることができる。これらの中でも、原料土（砂質土）とセメント、水および気泡を混合、又は、セメント、水および気泡を混合した気泡混合軽量土（Formed Mixture Light-weight Soil）は、軽量で流動性（フレッシュ状態）があり、容易な施工性、優れた経済性を有するため、盛土材として好ましく用いられる。図示した実施形態においては、盛土材５０として気泡混合軽量土が用いられ、型枠パネル３０の背面側のみならず、地盤６１から地山６０側に至るまで遮水シート７０が配設され、その上方に気泡混合軽量土５０が充填されている。
【００２０】
気泡混合軽量土５０の充填は、自重による気泡の潰れを回避するため、複数回に分けて行われ、硬化した気泡混合軽量土５０の上方に敷網材７１が設置され、高さ方向の適所に敷網材７１が埋設された盛土本体が構築される。敷網材７１は、盛土本体の補強及びひび割れの抑制を目的に設置されるもので、ＪＩＳ  Ｇ３５５１（φ３．２×１００×１００ｍｍ）にＪＩＳ  Ｈ８６４１  ＨＤＺ３５相当の防錆処理を施したものが好ましく使用できる。気泡混合軽量土５０の硬化体から成る盛土本体の上面には、遮水シート７０が敷設され、その上方に天端コンクリート７２が形成されている。また、壁面１０の天端には、止水板７３が設けられている。
【００２１】
次に、上記した本発明に係る壁面構造を有する盛土の施工方法の一例を、図面を示して説明する。
【００２２】
先ず、図３（ａ）に示したように、壁面の構築位置αにおける地盤６１上に、均しコンクリート２４を形成すると共に差し筋２５を配置する。次に、図３（ｂ）に示したように、支柱２０を仮設材２６を利用して立て付け、その立つ付けた支柱の下端に、図３（ｃ）に示したように、基礎型枠２７を設置し、型枠をセパ固定具２８で固定する。続いて、図４（ａ），（ｂ）に示したように、形成した型枠２７内にコンクリートを打設し、基礎コンクリート２１を形成する。これにより、壁面の構築位置αにおける地盤６１上に、下端が基礎コンクリート２１に埋設された支柱２０を、等間隔、例えば５００ｍｍ程度の間隔を開けて必要な長さに渡って立設する。なお、立設した支柱２０，２０間には、その間隔を保持する幅止め固定材２９を差し渡して設置することが好ましい。
【００２３】
続いて、図４（ｃ）及び図５に示したように、立設した支柱２０の表面側に、隣り合う支柱２０，２０間を塞ぐ状態で壁面パネル４０を下段側から並べた状態で配設する。壁面パネル４０の支柱２０への取り付けは、スクリューネジ、取付具４１等を用いて行えばよい。また、配設した壁面パネル４０間の目地部には、必要に応じてシーリング材を充填する。
【００２４】
壁面パネル４０を必要高さまで積み上げて配設した後、図６（ａ）及び図７に示したように、立設した支柱２０の裏面側（躯体側）に、隣り合う支柱２０，２０間を塞ぐ状態で型枠パネル３０を下段側から並べた状態で配設する。型枠パネル３０の支柱２０への取り付けは、壁面パネル４０の場合と同様にスクリューネジ、取付具３１等を用いて行えばよい。また、配設した型枠パネル３０間の目地部には、必要に応じてシーリング材を充填する。これにより、支柱２０を挟んで、表面側に壁面パネル４０から成る壁面が、裏面側に型枠パネル３０から成る壁面がそれぞれ形成され、重層（２層）構造の壁面１０となる。
【００２５】
続いて、図６（ｂ）に示したように、配設した型枠パネル３０の背面側から地盤６１上にかけて、更には図示は省略したが地山６０の表面にいたるまで、遮水シート７０を配設し、図６（ｃ）及び図８に示したように、配設した遮水シート７０上に、盛土材５０である気泡混合軽量土を所定高さまで打設する。一回の打設高さは、自重による気泡の潰れを考慮し、５０〜１００ｃｍ程度が適当である。
【００２６】
打設した気泡混合軽量土５０が硬化した後、図９（ａ）に示したように、その上方に敷網材７１を敷設し、続いて、図９（ｂ）に示したように、敷設した敷網材７１上に、盛土材５０である気泡混合軽量土をまた所定高さまで打設する。これにより、敷網材７１が高さ方向の適所に埋設された盛土本体を構築することができる。
【００２７】
次に、図９（ｃ）に示したように、型枠パネル３０、遮水シート７０等の上方への追加設置を行うと共に、硬化した気泡混合軽量土５０の上方に敷網材７１を敷設し、更に、支持アンカー２３を支柱２０に連結する。続いて、その上方に盛土材５０である気泡混合軽量土をまた所定高さまで打設する。これにより、敷網材７１の他、支柱２０を支える支持アンカー２３が高さ方向の適所に埋設された盛土本体を構築できる。
【００２８】
続いて、図１０（ａ）に示したように、支柱２０を継手金具２２によって上方に継ぎ足し、その表面側に壁面パネル４０を、背面側に型枠パネル３０を配設し、気泡混合軽量土５０を打設する等の上記した工程を繰り返し、図１０（ｂ）に示したように、盛土本体を段階的に構築していく。
【００２９】
支柱２０の天端までの気泡混合軽量土５０の打設が完了し、設計高さの盛土本体を構築した後、図１１に示したように、支柱２０を挟んで、表面側に壁面パネル４０から成る壁面が、裏面側に型枠パネル３０から成る壁面がそれぞれ形成された重層（２層）構造の壁面１０の上端に、止水板７３を取り付けることにより塞ぎ、また、構築した盛土本体の上面に遮水シート７０を敷設し、その上方にコンクリートを打設することにより天端コンクリート７２を構築する。これにより、盛土１が完成する。
【００３０】
上記した本発明に係る盛土の壁面１０の構造によれば、盛土材５０は支柱１０の背面側に配設された型枠パネル３０とは接するものの、支柱１０の表面側に配設された壁面パネル４０とは直に接しない構造となる。そのため、壁面パネル４０は盛土材５０の硬化体である盛土本体と一体化することはなく、盛土本体からの遊水、変形等の影響を直接受けることがなくなり、その割れ、剥離等が生じ難いものとなる。
また、万一壁面パネル４０に割れ、剥離等が生じた場合にも、盛土本体と一体化していないためにその張り替えが容易に行えると共に、盛土本体に損傷を与えることもない。また、壁面パネル４０と型枠パネル３０との間が水の通り道となるため、盛土本体からの遊水は壁面パネル４０の表面側に達することはなく、壁面のノロ漏れによる汚れが生じ難いものとなる。
【００３１】
以上、本発明に係る盛土の壁面構造の実施形態を説明したが、本発明の技術的範囲は、上記実施形態に記載の範囲には限定されないことは言うまでもない。上記実施形態に、多様な変更又は改良を加えることが可能であることが当業者に明らかである。また、その様な変更又は改良を加えた形態も本発明の技術的範囲に含まれ得ることが、特許請求の範囲の記載から明らかである。
【産業上の利用可能性】
【００３２】
本発明によれば、盛土本体からの遊水、変形等の影響を受け難く、且つ、その壁面の張り替え等のメンテナンス作業が容易に行える壁面構造となるので、傾斜地の拡幅盛土、道路、橋台、自立壁、擁壁等として用いる盛土、また、造成地、建物の基礎となる盛土の壁面構造として、広く適用できるものとなる。
【符号の説明】
【００３３】
１    盛土
１０    壁面
２０    支柱
２０Ａ，２０Ｂ    分割支柱
２１    基礎コンクリート
２２    継手金具
２３    支持アンカー
２４    均しコンクリート
２５    差し筋
２６    仮設材
２７    基礎型枠
２８    配筋
２９    幅止め固定材
３０    型枠パネル
３１    スクリューネジ
４０    壁面パネル
４１    取付具
５０    盛土材（気泡混合軽量土）
６０    地山
６１    地盤
７０    遮水シート
７１    敷網材
７２    天端コンクリート
７３    止水板
α    壁面の構築位置
【図１】
2020041267.tif 000003
【図２】
2020041267.tif 000004
【図３】
2020041267.tif 000005
【図４】
2020041267.tif 000006
【図５】
2020041267.tif 000007
【図６】
2020041267.tif 000008
【図７】
2020041267.tif 000009
【図８】
2020041267.tif 000010
【図９】
2020041267.tif 000011
【図１０】
2020041267.tif 000012
【図１１】
2020041267.tif 000013